(57)【特許請求の範囲】
【請求項１】
メモリーカード等のカードの先端部分が挿入される深さのカード挿入部が前面に開口されたモールドケースを有するハウジングを備え、前記モールドケースの一方の側部に、前後に向けた操作側スイッチコンタクトと、被操作側スイッチコンタクトとからなるタイミングスイッチが備えられ、前記操作側スイッチコンタクトには、カード挿入部内に挿入されたカードによって横方向に押し出し動作される操作用凸部と、該操作用凸部と一体の可動接点部とを有し、カード挿入によって前記操作用凸部が側方に押し出されることによって前記可動接点部が被操作用コンタクトの固定接点部に接触されるようにしてなるヘッダー型カードコネクタにおいて、前記操作側スイッチコンタクト及び／又は被操作側スイッチコンタクトは、上下配置にモールドケースの前後方向に向く長板状をした上片部と下片部と、該上片部と下片部との前端部間を連続させる縦向き片部とをもって構成し、前記下片部の後端側に各コンタクトを基盤に接続させるための基盤接続用端子部を備え、該基盤接続用端子部を前記モールドケースの裏面後部に露出させ、
前記モールドケースの底面に、操作側スイッチコンタクト及び被操作側スイッチコンタクトの各々の下片部が挿入される操作側スイッチコンタクト収容溝及び被操作側スイッチコンタクト挿入溝を備え、該各コンタクト挿入溝内にて前記各コンタクトに備えた圧入片部を該溝の底部の圧入穴に圧入することによって固定し、前記両コンタクトの上片部をモールドケースの底面上にてその後端側が左右方向に弾性変形できるようにしてなり、
前記操作側スイッチコンタクト及び／又は被操作側スイッチコンタクトの下片部が嵌り合うスイッチコンタクト挿入溝の幅をコンタクト厚さより大きくすることにより、該コンタクトの下片部先端側が厚さ方向に弾性変形可能なバネ部としてなることを特徴とするヘッダー型カードコネクタ。
【請求項２】
前記ハウジングは、上面にカード挿入部を有するモールドケースと、該モールドケースのカード挿入部の上面部を覆うとともに該モールドケースの両側部下面に係止される半田付け用端子部を一体に有する導電性金属製のシールドカバーとをもって構成され、前記半田付け用端子を基盤に半田付けすることによって実装するようにしてなる請求項１に記載のヘッダー型カードコネクタ。
【請求項３】
前記下片部には、その後端側にモールドケース左右間の中央側部に向けた水平折り曲げ部を設け、該水平折り曲げ部又はその延長部の下縁より下向きに突出させた端子片部を備え、該端子片部の下端に前記基盤接続用端子部を一体に備えてなる請求項１又は２に記載のヘッダー型カードコネクタ。
【請求項４】
前記コンタクト挿入溝と該溝内のコンタクト下片部との間に、下片部の先端側の浮き上がりを防止する係止機構を備えてなる請求項１に記載のヘッダー型カードコネクタ。
【請求項５】
前記係止機構は、スイッチコンタクト挿入溝の端部を覆う抜け止め部を備え、該抜け止め部下において幅方向側の一方に前記下片部を片寄せて配置することによって構成される請求項４に記載のヘッダー型カードコネクタ。
【請求項６】
前記係止機構は、前記コンタクト挿入溝の開口前端部内面に、掛止用張り出し部を形成し、該張り出し部下に前記下片部の先端に突設した浮き上がり防止突起を挿入することによって搆成される請求項４に記載のヘッダー型カードコネクタ。
【発明の詳細な説明】
【技術分野】
【０００１】
本発明は、ＩＣカード、ＳＤカード、メモリーカード等に用いるカードコネクタであって、カードの先端部分のみを挿入することによって接続できるようにしたヘッダー型カードコネクタに関する。
【背景技術】
【０００２】
従来、ヘッダー型カードコネクタとしては、信号伝達用端子部が露出しているカードの先端部分のみをハウジング内に挿入することによって、カードを保持し、信号伝達端子部に対するコンタクトの電気的接続がなされるようにしているものが提供されている（たとえば特許文献１）。
【０００３】
この種のヘッダー型カードコネクタは、図１４〜図１６に示すように、モールドケース５１とその上面及び左右側面を包み込むようにしたシールドカバー５２とをもってハウジングが形成され、モールドケース５１の上面に凹溝状にカード挿入部５３が形成され、その上側をシールドカバー５２によって覆っている。
【０００４】
このシールドカバー５２の両側縁部をモールドケース５１の下側に折り曲げて基盤に半田付けする耐基盤固定部５４が形成され、これを基盤Ｃの表面のパターンに半田付けすることによってアースさせるとともに、これによってヘッダー型カードコネクタ全体を基盤Ｃに固定している。
【０００５】
また、このヘッダー型カードコネクタは、メモリーカードＢの挿抜時に、カード挿入部５３内に露出している信号伝達用の接触子５５を非活線状態とするために、カード挿入部５３の奥側に、メモリーカードＢの信号伝達端子に対する接触子５５の接触タイミングに合わせてオン・オフ動作するするタイミングスイッチ５６が備えられている。
【０００６】
このスイッチ５６は、奥行きの小さいヘッダー型カードコネクタでは、カード挿入部５３の側部に設けられており、カード挿入部の開口部から奥側に向けて配置した操作側接触バネ５７と、その外側に配置した固定側接触バネ５８とから構成された常開式となっており、メモリーカードＢの挿入によって操作側接触バネ５７が押され、接点部５７ａが固定側接触バネ５８に接触することによってオン状態となるようにしている。
【０００７】
この従来のヘッダー型カードコネクタは、タイミングスイッチの接点部をカード挿入部の奥側に設ける必要から、操作側及び固定側の各接触バネの固定部は、カード挿入部開口側に配置していた。そして各固定部から下側に延長して端子部５７ｂ，５８ｂが形成され、これが図１６に示すように、モールドケース５１の底面前縁側の隅部に露出され、各端子部５７ｂ，５８ｂを基盤Ｃのパターンに半田付けしている。
【先行技術文献】
【特許文献】
【０００８】
【特許文献１】特開２００３−７７５６５号公報
【発明の概要】
【発明が解決しようとする課題】
【０００９】
このような従来のヘッダー型カードコネクタにおいては、タイミングスイッチ５６の端子部５７ｂ，５８ｂが前方側隅部にあることから、モールドケース底面における基板接続端子部の配置が制限され、設計の自由度が低いことに加えて、操作側接触バネ５７の寸法制約上、必要なバネ長を得られず、十分な弾性特性を得られないという問題があった。
【００１０】
また、従来のヘッダー型カードコネクタにおいては、タイミングスイッチ５６の両接触バネ５７，５８の端子部５７ｂ，５８ｂが、モールドケース５１の底面前縁側の隅部に露出されているため、この部分にはシールドカバー５２の耐基盤固定部５４を設けることができず、このため従来は図１６に示すように隅部を避けた２点又は図には示してないが、１隅部を除いた位置に設けざるを得なかった。
【００１１】
このため、ハウジングにメモリーカードのハウジング外側端部に掛る上下方向の外力によるモーメントが、タイミングスイッチ５６の端子部５７ｂ，５８ｂに集中することとなり、それにより半田剥離等の懸念が生ずること、シールドカバー５２の耐基盤固定部５４の配置に偏りが生じるため、信号伝達用の接触子と基盤のパターンとの半田付け部分にもメモリーカードからの外力が作用することとなり、耐久性が低いものとなること等の問題があった。
【００１２】
本発明は、このような従来の問題に鑑み、設計の自由度が高く、且つ基板に対して強固な取り付け可能なヘッダー型カードコネクタの提供を目的としてなされたものである。
【課題を解決するための手段】
【００１３】  上述の如き従来の問題を解決し、所期の目的を達成するための請求項１に記載の発明の特徴は、メモリーカード等のカードの先端部分が挿入される深さのカード挿入部が前面に開口されたモールドケースを有するハウジングを備え、前記モールドケースの一方の側部に、前後に向けた操作側スイッチコンタクトと、被操作側スイッチコンタクトとからなるタイミングスイッチが備えられ、前記操作側スイッチコンタクトには、カード挿入部内に挿入されたカードによって横方向に押し出し動作される操作用凸部と、該操作用凸部と一体の可動接点部とを有し、カード挿入によって前記操作用凸部が側方に押し出されることによって前記可動接点部が被操作用コンタクトの固定接点部に接触されるようにしてなるヘッダー型カードコネクタにおいて、前記操作側スイッチコンタクト及び／又は被操作側スイッチコンタクトは、上下配置にモールドケースの前後方向に向く長板状をした上片部と下片部と、該上片部と下片部との前端部間を連続させる縦向き片部とをもって構成し、前記下片部の後端側に各コンタクトを基盤に接続させるための基盤接続用端子部を備え、該基盤接続用端子部を前記モールドケースの裏面後部に露出させ、前記モールドケースの底面に、操作側スイッチコンタクト及び被操作側スイッチコンタクトの各々の下片部が挿入される操作側スイッチコンタクト収容溝及び被操作側スイッチコンタクト挿入溝を備え、該各コンタクト挿入溝内にて前記各コンタクトに備えた圧入片部を該溝の底部の圧入穴に圧入することによって固定し、前記両コンタクトの上片部をモールドケースの底面上にてその後端側が左右方向に弾性変形できるようにしてなり、前記操作側スイッチコンタクト及び／又は被操作側スイッチコンタクトの下片部が嵌り合うスイッチコンタクト挿入溝の幅をコンタクト厚さより大きくすることにより、該コンタクトの下片部先端側が厚さ方向に弾性変形可能なバネ部としてなることにある。【００１４】
請求項２に記載の発明の特徴は、請求項1の構成に加え、前記ハウジングは、上面にカード挿入部を有するモールドケースと、該モールドケースのカード挿入部の上面部を覆うとともに該モールドケースの両側部下面に係止される半田付け用端子部を一体に有する導電性金属製のシールドカバーとをもって構成され、前記半田付け用端子を基盤に半田付けすることによって実装するようにしたことにある。
【００１５】
請求項３に記載の発明の特徴は、請求項１又は２の何れか１の請求項の構成に加え、前記下片部には、その後端側にモールドケース左右間の中央側部に向けた水平折り曲げ部を設け、該水平折り曲げ部又はその延長部の下縁より下向きに突出させた端子片部を備え、該端子片部の下端に前記基盤接続用端子部を一体に備えたことにある。
【００１８】  請求項４に記載の発明の特徴は、請求項１の構成に加え、前記コンタクト挿入溝と該溝内のコンタクト下片部との間に、下片部の先端側の浮き上がりを防止する係止機構を備えたことにある。【００１９】  請求項５に記載の発明の特徴は、請求項４の構成に加え、前記係止機構は、スイッチコンタクト挿入溝の端部を覆う抜け止め部を備え、該抜け止め部下において幅方向側の一方に前記下片部を片寄せて配置することによって構成されたことにある。【００２０】  請求項６に記載の発明の特徴は、請求項４の構成に加え、前記係止機構は、前記コンタクト挿入溝の開口前端部内面に、掛止用張り出し部を形成し、該張り出し部下に前記下片部の先端に突設した浮き上がり防止突起を挿入することによって構成されたことにある。
【発明の効果】
【００２１】
前述した本発明のヘッダー型カードコネクタにおいては、ハウジングを構成しているモールドケースの一方の側部に、前後に向けた操作側スイッチコンタクトと、被操作側スイッチコンタクトとからなるタイミングスイッチが備えられているヘッダー型カードコネクタにおいて、前記操作側スイッチコンタクト及び／又は被操作側スイッチコンタクトは、上下配置にモールドケースの前後方向に向く長板状をした上片部と下片部と、該上片部と下片部との前端部間を連続させる縦向き片部とをもって構成し、前記下片部の後端側に各コンタクトを基盤に接続させるための基盤接続用端子部を備え、該基盤接続用端子部を前記モールドケースの裏面後部に露出させたことにより、操作側スイッチコンタクトと被操作側スイッチコンタクトとの接点部をハウジングのカード挿入部奥側とした状態で、それぞれの基盤接続用端子部をモールドケース底面の後部側に位置させることができ、該基盤接続端子部の露出位置をハウジングの左右方向中央寄りの適宜の位置を選定することができて、設計の自由度が増す。
【００２２】
また、ハウジングが、上面にカード挿入部を有するモールドケースと、該モールドケースのカード挿入部の上面部を覆うとともに該モールドケースの両側部下面係止される半田付け用端子部を一体に有する導電性金属製のシールドカバーとをもって構成され、その半田付け用端子部を基盤に半田付けすることによって実装されるヘッダー型カードコネクタに実施することにより、シールドカバーのアース兼用の半田付け用端子をハウジング底面の４隅に置く設計とすることが容易となり、ハウジング内に先端部のみが挿入されたカードを通じて作用する上下方向のモーメントを全てこの半田付け用端子と基盤との半田付けによって受け持たせることができ、各コンタクトの基盤接続用端子部にモーメントが作用せず、耐久性が高く、安全で信頼性の高い実装状態が得られる。
【００２３】
本発明において、前記下片部には、その後端側にモールドケース左右間の中央側部に向けた水平折り曲げ部を設け、該水平折り曲げ部又はその延長部の下縁より下向きに突出させた端子片部を備え、該端子片部の下端に前記基盤接続用端子部を一体に備えることにより、各スイッチコンタクトの基盤接続用端子部をモールドケース底面の左右方向中央側の任意の位置に設置することができる。
【００２４】
本発明において、前記モールドケースの底面に、操作側スイッチコンタクト及び操作側スイッチコンタクトの各々の下片部が挿入される操作側スイッチコンタクト収容溝及び被操作側スイッチコンタクト挿入溝を備え、該各コンタクト挿入溝内にて前記各コンタクトに備えた圧入片部を該溝の底部の圧入穴に圧入することによって固定し、前記両コンタクトの上片部をモールドケースの底面上にてその後端側が左右方向に弾性変形できるようにすることにより、両コンタクトのモールドケースに対する組み込みが容易となり、両コンタクト間的確な相対位置関係が維持できる。
【００２５】
本発明において、前記操作側スイッチコンタクト及び／又は被操作側スイッチコンタクトの下片部が嵌り合うコンタクト挿入溝の幅をコンタクト厚さより大きくすることにより、該コンタクトの下片部先端側が厚さ方向に弾性変形可能なバネ部とすることにより、上片部全体と下片部の一部を、スイッチを構成する弾性接触バネとすることができ、前後寸法の小さいヘッダー型カードコレクタにおいてもスイッチの弾性接触バネ長を長くすることができる。
【００２６】
本発明において  前記コンタクト挿入溝と該溝内のコンタクト下片部との間に、下片部の先端側の浮き上がりを防止する係止機構を備えることにより、長い弾性接触バネ長のコンタクトが、ハウジングに対する衝撃等の振動によるシールドカバー側への変異が阻止される。
【００２７】
また、前記係止機構を、スイッチコンタクト挿入溝の端部を覆う抜け止め部を備え、該抜け止め部下において幅方向側の一方に前記下片部を片寄せて配置することによって構成すること、或いは、前記コンタクト挿入溝の開口前端部内面に、係止用張り出し部を形成し、該張り出し部下に前記下片部の先端に突設した浮き上がり防止突起を挿入することによって構成することにより、部品数を増やすことなく、係止機構が設置できる。
【図面の簡単な説明】
【００２８】
【図１】本発明に係るカードコネクタの実施の一例を示す斜視図である。
【図２】同上のカードコネクタのカード挿入状態を示す左側面図である。
【図３】同上の底面側から見た斜視図である。
【図４】同上のカードコネクタのシールドカバーを取り除いたモールドケース部分の平面図である。
【図５】図４中のスイッチコンタクトの配置を示す斜視図である。
【図６】（ａ）は同上の操作側スイッチコンタクトを示す正面図、（ｂ）は同平面、（ｃ）は同左側面図である。
【図７】同上の斜視図である。
【図８】図４中のモールドケースの一部拡大平面図である。
【図９】図８中のａ−ａ線断面図である。
【図１０】図４中の操作側スイッチコンタクトの取り付け状態を示す断面図である。
【図１１】（ａ）は図４中の被操作側スイッチコンタクトを示す正面図、（ｂ）は同平面、（ｃ）は同左側面図である。
【図１２】同上の斜視図である。
【図１３】図４中の非操作側スイッチコンタクトの取り付け状態を示す断面図である。
【図１４】従来のヘッダー型カードコネクタの一例を示す斜視図である。
【図１５】同上の部分破断平面図である。
【図１６】同上の底面図である。
【発明を実施するための形態】
【００２９】
次に、本発明の実施の態様を、図面に示した実施例に基づいて説明する。
図１〜図３は本発明に係るカードコネクタの一例を示し、図中符号Ａはハウジング、Ｂはメモリーカード等のカードである。
ハウジングＡは、絶縁性樹脂部材により形成されたモールドケース１と、モールドケース１を覆うシールドカバー２とを組み合わせて形成されている。
【００３０】
モールドケース１は、図４に示すように、上面部を凹ませた形状にカード挿入部３を形成し、カード挿入部３の底面には、カードの先端下面に配置された情報伝達端子と弾性的に接触する接触バネ部４を一体に有する多数のコンタクト５，５...が支持されている。この各コンタクト５の基盤接続用端子部６がモールドケース１の底面中央部分にほぼ横１列配置に露出されている。
【００３１】
シールドカバー２は、モールドケース１の上面を覆う天板部２ａとその両側縁を下向きに折り曲げた形状の一対の側壁部２ｂ，２ｂと、両側壁部２ｂ，２ｂの下縁の前後両端部をモールドケース１の底面４隅部を下に折り曲げた形状のモールドケース掴み込み兼用の半田付け用端子部２ｃ，２ｃ......と、天板部後縁を下向きに折り曲げた形状のカードストッパー部２ｄとを備え、全体が導電性金属板材を打ち抜き・曲げ加工することによって形成されている。
このカードストッパー２ｄがカード挿入部の奥壁を構成しており、カード挿入部３はハウジングＡの前面に開口されている。
尚、本明細書においては、「前」はカード挿入部開口側をいい、「後」はカード挿入部奥側をいうものとする。
【００３２】
このモールドケース１の側部には、タイミングスイッチ１０が備えられている。このスイッチ１０は、カード挿入部３内にカードＢが挿入されることによってＯＮ動作がなされるものであり、カードＢが挿入されてその信号伝達用端子がカード挿入部３内の接触バネ４に接触した後にＯＮ動作がなされるようにしている。
【００３３】
このタイミングスイッチ１０は、それぞれカード挿抜方向に向けて配置された操作側スイッチコンタクト１１と被操作側スイッチコンタクト１２とから構成されており、両コンタクト１１，１２の内、被操作側スイッチコンタクト１２が外側、即ちモールドケース１の一方の側面側にあり、その内側、即ちカード挿入部３側に操作側スイッチコンタクト１１が配置されている。
【００３４】
操作側スイッチコンタクト１１には、図５に示すように、カード挿入部３内に挿入されるカードＢによって側方に押し出される操作用凸部１３が湾曲形成され、その先端に被操作側スイッチコンタクト１２側に向いて突出した可動接点部１４を有している。被操作側スイッチコンタクト１２には、前記可動接点部１４の先端に対向する位置に板状の固定接点部１５が備えられ、カードＢの挿入によって操作用凸部１３が側方に押し出されることにより、可動接点部１４が固定接点部１５に接触し、スイッチがＯＮ状態となるようになっている。
【００３５】
操作側スイッチコンタクト１１は、図６、図７に示すように、導電性金属板材を打ち抜いて全体が一体に形成されており、それぞれ矩形状をした上下一対の上下片部１１ａ，１１ｂを有している。この上下片部１１ａ，１１ｂは、前側端部間が縦向き片部１１ｃを介して一体となっており、縦向き片部１１ｃは、下片部１１ｂの前端上縁から上向きに立ち上げられ、その上縁に後方に向けた上片部１１ａの前端部下縁が連続された形状となっており、側面がコ字状となっている。
【００３６】
上下片部１１ａ，１１ｂは、その側面側から見た状態が互いに平行となるようになっている。換言すれば、下片部１１ｂがモールドケース１の後部側から前部側に延長され、その先端を上側に折り返してコ字状となるように形成されている。
【００３７】
操作側スイッチコンタクト１１の上片部１１ａは、前端部分が縦向き片部１１ｃの上縁と一体となっており、前端部稍後方側にカード挿入部３側に向けて水平横方向に傾斜させた傾斜部１６があり、その傾斜部１６の後方に伸びる後方側延長部１７が形成され、その後端に前述した操作用凸部１３及び可動接点部１４が一体に形成されている。
【００３８】
操作側スイッチコンタクト１１の下片部１１ｂは、縦向き片部１１ｃ下に連続した外側前向き片部２０を有し、該外側前向き片部２０の後端をモールドケース中央側、即ち被操作側スイッチコンタクト１２から離れる側にほぼ直角に折り曲げた形状の水平折り曲げ片部２１を有し、更に水平折り曲げ片部の延長部を前方側に折り返した内側前向き片部２２を一体に有し、平面図において前後に平行な２辺を有するコ字状に形成されている。
【００３９】
この下片部１１ｂの前記水平折り曲げ片部２１の下縁より下側に向けて端子片部１１ｄが垂下された形状に形成され、その先端を後方側に折り曲げて基盤接続用端子部１１ｅが一体に形成されている。
【００４０】
下片部１１ｂの前記内側前向き片部２２の下縁には、圧入片部１１ｆが下向きに突設された形状に形成されている。この圧入片部１１ｆを後述するモールドケース１の圧入穴内に圧入されるようになっている。
【００４１】
下片部１１ｂの外側前向き片部２０の下面にはガイド突起１１ｇが下向きに突設されており、これが後述するモールドケース１のガイド穴に挿入されるようになっている。
【００４２】
モールドケース１の側部底面には、図８に示すように、下片部１１ａが収容される操作側スイッチコンタクト収容溝２５が形成されている。この操作側スイッチコンタクト収容溝２５は、外側前向き片部２０、水平折り曲げ片部２１及び内側前向き片部２２によって形成されるコ字状と同形の平面形状をしている。
この操作側スイッチコンタクト収容溝２５には、上片部１１ａの先端側の浮き上がりを防止する係止機構が備えられている。
【００４３】
この係止機構は、図９、図１０に示すように、操作側スイッチコンタクト収容溝２５の外側前向き片対応部２５ａの前端部に操作側スイッチコンタクト収容溝２５の前端部を覆うように抜け止め部２６を形成し、この抜け止め部２６には、縦向き片部１１ｃが通過できる幅のスリット２７に形成されており、このスリット２７を通された縦向き片１１ｃは、その弾性によって、抜け止め部２６下においてモールドケース中央側に片寄せた状態で挿入されるようになっており、これによって操作側スイッチコンタクト１１全体が上向きに移動するのを防止する構造となっている。
【００４４】
尚、下片部１１ｂが嵌り合う操作側コンタクト挿入溝２５の幅を、該下片部１１Ｂの厚さより大きくすることにより、下片部１１ｂの先端側が上片部１１ａとともに厚さ方向に弾性変形可能なバネ部となっている。
【００４５】
外側前向き片対応部２５ａの底面には、前述したガイド突起１１ｇが嵌り合うガイド穴２６が形成され、このガイド穴２８にガイド突起１１ｇが嵌り合うことによって、カード挿入時に、カードが操作用凸部１３に当接した時、操作用凸部１３を介して、操作側スイッチコンタクト１１全体にカード挿入方向の力が作用するが、この力を、ガイド突起１１ｇの挿入方向奥側の面と、対応するガイド穴２８の壁面とで受け止めることで、操作側スイッチコンタクト１１の無用な変形を抑止している。
【００４６】
操作側スイッチコンタクト収容溝２５の水平折り曲げ片対応部２５ｂには、その底面と後部にかけて基盤接続用端子部挿通穴２９が形成され、この穴２９を通して端子片部１１ｄ及び基盤接続用端子部１１ｅがモールドケース１の下面側に突出されている。
【００４７】
操作側スイッチコンタクト収容溝２５の内側前向き片対応部２５ｃには、その底面に圧入穴３０が形成され、この圧入穴３０内に圧入片部１１ｆを圧入することによって操作側スイッチコンタクト１１が抜け止めされている。
【００４８】
操作側スイッチコンタクト１１の上片部１１ａは、縦向き部１１ｃを介してモールドケース１の底面上に突出され、その厚さ方向に弾性変形可能に設置されており、この操作側スイッチコンタクト１１の上片部１１ａ全体とこれに連続した下片部１１ｂの外側前向き片部２０が弾性変形できる板バネを構成している。
【００４９】
尚、この操作側スイッチコンタクト１１の装着に際しては、下縁に圧入片部１１ｆがある内側前向き片部２２が外側前向き片部２０の真上からハウジング中央側にずれているため、上片部１１ａをフリーな状態とし、下片部１１ｂの内側前向き片部２２の上縁を直接、治具によって加圧することができるため、コンタクトを変形させずに確実な装着が可能となっている。
【００５０】
被操作側スイッチコンタクト１２は、図１１、図１２に示すように、導電性金属板材を打ち抜いて全体が一体に形成されており、それぞれ矩形状をした上下一対の上下片部１２ａ，１２ｂを有している。この上下片部１２ａ，１２ｂは、前側端部間が縦向き片部１２ｃを介して一体となっており、縦向き片部１２ｃは、下片部１２ｂの前端上縁から上向きに立ち上げられ、その上縁に後方に向けた上片部１２ａの前端部下縁が連続された形状となっており、側面視がコ字状となっている。
【００５１】
上下片部１２ａ，１２ｂは、その側面側から見た状態が互いに平行となるようになっている。換言すれば、下片部１２ｂがモールドケース１の後部側から前部側に延長され、その先端を上側に折り返してコ字状となるように形成されている。
【００５２】
被操作側スイッチコンタクト１２の上片部１２ａは、前端部分が縦向き片部１２ｃの上縁と一体となっており、前端部稍後方側にカード挿入部３側に向けて水平横方向に傾斜させた第一傾斜部３５があり、その傾斜部３５の後方に伸びる後方側延長部３６が形成され、更にその後端部に、カード挿入部３側に向けて水平横方向に傾斜させた第二傾斜部３７があり、その後端に前述した固定接点部１５が備えられている。この固定接点部１５は、カード挿入部３側に向けた縦向きの平板状となっている。
【００５３】
被操作側スイッチコンタクト１２の下片部１２ｂは、縦向き片部１２ｃ下に先端部上縁が連続した前向き片部４０を有し、該前向き片部４０の後端をモールドケース中央側、即ち操作側スイッチコンタクト１１側にほぼ直角に折り曲げた形状の水平折り曲げ片部４１を有し、更に水平折り曲げ片部の後方側向けて折り返曲げた後方延長片部４２を一体に有している。
【００５４】
この下片部１１ｂの前記後方側延長片部４２の下縁より下側に向けて端子片部１２ｄが垂下された形状に形成され、その先端を後方側に折り曲げて基盤接続用端子部１２ｅが一体に形成されている。
【００５５】
下片部１２ｂの前記前向き片部４０の下縁には、圧入片部１２ｆが下向きに突設された形状に形成されている。この圧入片部１２ｆが後述するモールドケース１の圧入穴内に圧入されるようになっている。
下片部１２ｂの前端部分には、浮き上がり防止突起４３が前向きに突設されている。
【００５６】
モールドケース１の側部底面には、前述した操作側スイッチコンタクト収容溝２５の外側に、被操作側スイッチコンタクト収容溝４５が形成されている。この被操作側スイッチコンタクト収容溝４５は、被操作側スイッチコンタクト１２の下片部１２ｂが挿入されるようになっており、該下片部１２ｂの平面形状と同形の平面形状をしている。
【００５７】
この被操作側スイッチコンタクト収容溝４５の前向き片部対応部４５ａの底面には、圧入穴４７が形成されており、この圧入穴に前述した圧入片部１２ｆを圧入することによって被操作側スイッチコンタクト１２の下片部１２ｂが抜け止めされている。
【００５８】
前向き片部対応部４５ａの前端部と被操作側スイッチコンタクト収容溝４５間には、下片部１２ａの先端側の浮き上がりを防止する係止機構が備えられている、この係止機構は図９、図１３に示すように、モールドケース１の底面に開口している前縁部に後方側に突出した張り出し部４６が形成されており、その張り出し部４６の下側に前述した浮き上がり防止突起４３が挿入され、これによって下片部１２ｂの前端側が浮き上がり方向に動作されるのを防止する構造となっている。
【００５９】
尚、前向き片部対応部４５ａの溝幅は、下片部１２ｂの厚さより大きく形成されており、下片部１２ｂの前記圧入片部１２ｆが厚さ方向に弾性変形できるようになっている。
【００６０】
被操作側スイッチコンタクト収容溝４５の後方延長片部対応部４５ｂは後端側がモールドケース１後面に解放され、後方延長片部４２の後端がモールドケース１の後端部の解放空間に突出され、その下縁に一体の端子片部１２ｄが、該解放空間内にて下向きに垂下され、その下端の基盤接続用端子部１２ｅが基盤のパターンに半田付けされるようになっている。
【００６１】
被操作側スイッチコンタクト１２の上片部１２ａは、縦向き部１２ｃを介してモールドケース１の底面上に突出され、その厚さ方向に弾性変形可能に設置されており、この上片部１２ａの全長及び下片部１２ｂの圧入片部１２ｆより前方側が弾性変形されるようになっている。
【００６２】
尚、この被操作側スイッチコンタクト１２の装着に際しては、上片部１２ａの後方延長片部４２が水平折り曲げ片部４１の存在によって下片部１１ｂの真上からハウジング中央側にずれているため、上片部１２ａをフリーな状態とし、下片部１２ｂの圧入片部１２ｆ位置の上縁を直接、治具によって加圧することができるため、コンタクトを変形させずに確実な装着が可能となっている。
【００６３】
このように装着される両コンタクト１１，１２のそれぞれの基盤接続用端子部１１ｅ，１２ｅは、図３に示すように、モールドケース１の後端部底面にあって、被操作側スイッチコンタクトの前向き片部４０より、水平折り曲げ片部４１の水平長さ分だけモールドケース中央側にて、前後に並べた配置に露出されている。
【００６４】
そして、シールドカバー２の半田付け用端子部２ｃ，２ｃ......は、この両端子部１１ｅ，１２ｅの外側の位置にてモールドケース下面４隅部を抱え込むように係止している。
【００６５】
上述した実施例において、コンタクトの浮き上がりを防止するための係止機構として、操作側スイッチコンタクト１１には図１０に示す構造のもの、被操作側スイッチコンタクト１２には図１３に示す構造のものが使用されているが、これとは逆に、操作側スイッチコンタクト１１には図１３に示す構造のもの、被操作側スイッチコンタクト１２には図１０に示す構造のものを使用してもよく、更に両コンタクトとも図１０又は図１３に示す何れかの構造としてもよい。
【００６６】
このように構成されるヘッダー型カードコネクタは、操作側スイッチコンタクト１１と被操作側スイッチコンタクト１２との接点部をハウジングのカード挿入部奥側とした状態で、それぞれの基盤接続用端子部１１ｅ，１２ｅをモールドケース底面の後部側に位置させるようにしたことによって、該基盤接続端子部１１ｅ，１２ｅの露出位置をハウジングの左右方向中央寄りの適宜の位置を選定することができ、設計の自由度が増す。
【００６７】
これによって、シールドカバー２のアース兼用の半田付け用端子２ｃ，２ｃ......をハウジング底面の４隅に置く設計とすることが容易となり、ハウジング内に先端部のみが挿入されたカードＢを通じて作用する上下方向のモーメントを全てこの半田付け用端子２ｃ，２ｃ......と基盤との半田付けによって受け持たせることができ、各コンタクトの基盤接続用端子部にモーメントが作用せず、耐久性が高く、安全で信頼性の高い実装状態が得られる。
【符号の説明】
【００６８】
Ａ  ハウジング
Ｂ  メモリーカード
１  モールドケース
２  シールドカバー
２ａ  天板部
２ｂ  側壁部
２ｃ  半田付け用端子部
２ｄ  カードストッパー
３  カード挿入部
４  接触バネ部
５  コンタクト
６  基盤接続用端子部
１０  タイミングスイッチ
１１  操作側スイッチコンタクト
１１ａ  上片部
１１ｂ  下片部
１１ｃ  縦向き片部
１１ｄ  端子片部
１１ｅ  基盤接続用端子部
１１ｆ  圧入片部
１１ｇ  ガイド突起
１２  被操作側スイッチコンタクト
１２ａ  上片部
１２ｂ  下片部
１２ｃ  縦向き片部
１２ｄ  端子片部
１２ｅ  基盤接続用端子部
１２ｆ  圧入片部
１３  操作用凸部
１４  可動接点部
１５  固定接点部
１６  傾斜部
１７  後方側延長部
２０  外側前向き片部
２１  水平折り曲げ片部
２２  内側前向き片部
２５  操作側スイッチコンタクト収容溝
２５ａ  外側前向き片対応部
２５ｂ  水平折り曲げ片対応部
２５ｃ  内側前向き片対応部
２６  抜け止め部
２７  スリット
２８  ガイド穴
２９  基盤接続用端子部挿通穴
３０  圧入穴
３５  第一傾斜部
３６  後方側延長部
３７  第二傾斜部
４０  前向き片部
４１  水平折り曲げ片部
４２  後方延長片部
４３  浮き上がり防止突起
４５  被操作側スイッチコンタクト収容溝
４５ａ  前向き片部対応部
４５ｂ  後方延長片部対応部
４６  張り出し部
４７  圧入穴
【図１】
0005218789.tif 000002
【図２】
0005218789.tif 000003
【図３】
0005218789.tif 000004
【図４】
0005218789.tif 000005
【図５】
0005218789.tif 000006
【図６】
0005218789.tif 000007
【図７】
0005218789.tif 000008
【図８】
0005218789.tif 000009
【図９】
0005218789.tif 000010
【図１０】
0005218789.tif 000011
【図１１】
0005218789.tif 000012
【図１２】
0005218789.tif 000013
【図１３】
0005218789.tif 000014
【図１４】
0005218789.tif 000015
【図１５】
0005218789.tif 000016
【図１６】
0005218789.tif 000017